(57)【要約】【課題】  表示範囲に含まれる各道路に対する規制の有無を容易かつ確実に知ることができる「ナビゲーション装置」を提供すること。【解決手段】  ナビゲーション装置は、地図描画データを生成する地図描画部１４と、地図描画データに基づいて地図表示を行う表示処理部５０、ディスプレイ装置６と、表示中の地図に含まれる道路が指し示されたときにこの道路の指し示された区間を抽出する区間抽出部４０と、抽出された所定区間に対応して道路規制の有無を判定する道路規制判定部４２と、道路規制ありと判定されたときにその旨を振動および案内音声によって通知する振動発生部９０および音声案内部４４とを備えている。【選択図】        図１
2005201697.tif 000002
【特許請求の範囲】
【請求項１】
車両の走行道路が含まれる地図描画データを生成する地図描画手段と、
前記地図描画データに基づいて地図表示を行う表示手段と、
前記表示手段によって表示中の地図に含まれる道路が指し示されたときにこの道路の指し示された区間を抽出する区間抽出手段と、
前記区間抽出手段によって抽出された所定区間に対応して道路規制の有無を判定する道路規制判定手段と、
前記道路規制判定手段によって道路規制ありと判定されたときに、その旨を通知する通知手段と、
を備えることを特徴とするナビゲーション装置。
【請求項２】
請求項１において、
前記表示手段の画面上の指し示された位置を検出する位置検出手段をさらに備え、
前記区間抽出手段は、前記位置検出手段によって道路の特定区間が指し示されたときに、この特定区間を抽出することを特徴とするナビゲーション装置。
【請求項３】
請求項２において、
前記通知手段は、前記表示手段を振動させる振動発生手段であることを特徴とするナビゲーション装置。
【請求項４】
請求項２において、
前記通知手段は、道路規制が存在することを音声で通知する音声案内手段であることを特徴とするナビゲーション装置。
【請求項５】
請求項１〜４のいずれかにおいて、
前記道路規制判定手段による判定対象は、車両の進入が制限される道路規制であることを特徴とするナビゲーション装置。
【請求項６】
請求項５において、
前記道路規制判定手段による判定対象は、前記区間抽出手段によって抽出された区間が指し示された方向に沿った車両の進入が制限される道路規制であることを特徴とするナビゲーション装置。
【発明の詳細な説明】
【技術分野】
【０００１】
本発明は、道路の規制情報を知ることができるナビゲーション装置に関する。
【背景技術】
【０００２】
従来から、走行中の道路の規制情報を取得することができるナビゲーション装置が知られている（例えば、特許文献１参照。）。このナビゲーション装置を用いることにより、誘導経路に沿って走行中の車両の運転者に対して、一方通行、駐車禁止等の標識を見落として交通法規に違反することを、事前に音声等で案内することによって防止し、万一、交通法規に違反してしまった場合には違反である旨の警告を与えることがことができる。
【特許文献１】特開２０００−３３７９１５号公報（第３−４頁、図１−５）
【発明の開示】
【発明が解決しようとする課題】
【０００３】
ところで、上述した特許文献１に開示されたナビゲーション装置では、道路規制がかかった地点に達する前に表示または音声アナウンスによって規制の内容を案内することができるが、任意の道路について規制の有無を知ることができないという問題があった。また、一般のナビゲーション装置でも詳細表示にすれば、画面内の各道路が一方通行か否か等の表示が行われるが、道路規制の有無を知るためにその都度画面の表示倍率を切り替えることは面倒であり、実際にはそのような使い方をしなくなってしまう。
【０００４】
本発明は、このような点に鑑みて創作されたものであり、その目的は、表示範囲に含まれる各道路に対する規制の有無を容易かつ確実に知ることができるナビゲーション装置を提供することにある。
【課題を解決するための手段】
【０００５】
上述した課題を解決するために、本発明のナビゲーション装置は、車両の走行道路が含まれる地図描画データを生成する地図描画手段と、地図描画データに基づいて地図表示を行う表示手段と、表示手段によって表示中の地図に含まれる道路が指し示されたときにこの道路の指し示された区間を抽出する区間抽出手段と、区間抽出手段によって抽出された所定区間に対応して道路規制の有無を判定する道路規制判定手段と、道路規制判定手段によって道路規制ありと判定されたときに、その旨を通知する通知手段とを備えている。表示中の地図に含まれる道路を指し示したときにその道路に関する規制が存在するときにその旨が通知されるため、表示範囲に含まれる各道路に対する規制の有無を容易かつ確実に知ることができる。
【０００６】
また、上述した表示手段の画面上の指し示された位置を検出する位置検出手段をさらに備え、区間抽出手段は、位置検出手段によって道路の特定区間が指し示されたときに、この特定区間を抽出することが望ましい。これにより、表示画面上を指等で直接指し示すことにより道路の特定区間を指定してその道路規制の有無を知ることができるため、カーソルキーやジョイスティックレバー等を操作する場合に比べて道路の指定が容易となる。
【０００７】
また、上述した通知手段は、表示手段を振動させる振動発生手段であることが望ましい。これにより、画面上で指し示した道路に規制が存在する場合に指等に直接振動が伝わるため、道路規制があることを迅速かつ確実に知ることができる。
【０００８】
また、上述した通知手段は、道路規制が存在することを音声で通知する音声案内手段であることが望ましい。これにより、画面上で指し示した道路に規制が存在する場合にその旨が音声案内されるため、道路規制があることを迅速かつ確実に知ることができる。
【０００９】
また、上述した道路規制判定手段による判定対象は、車両の進入が制限される道路規制であることが望ましい。これにより、進入できない道路をその道路への分岐等に到達する前に知ることができ、進入できない道路に誤って進入してしまうことや、この道路に進入できないことを進入の直前で知ってあわてることを回避することができる。
【００１０】
また、上述した道路規制判定手段による判定対象は、区間抽出手段によって抽出された区間が指し示された方向に沿った車両の進入が制限される道路規制であることが望ましい。これにより、道路の特定区間について進入方向を考慮した道路規制の有無、例えば、一方通行路や右左折禁止道路等における進入の制限についても正確に知ることができる。
【発明を実施するための最良の形態】
【００１１】
以下、本発明を適用した一実施形態の車載用のナビゲーション装置について、図面を参照しながら説明する。
【００１２】
図１は、一実施形態のナビゲーション装置の構成を示す図である。図１に示すナビゲーション装置は、ナビゲーションコントローラ１、ＤＶＤ２、ディスク読取装置３、リモートコントロール（リモコン）ユニット４、車両位置検出部５、ディスプレイ装置６、ビーコン送受信機７、ＦＭ多重放送受信機８、タッチパネル９、振動発生部９０、スピーカ９２を含んで構成されている。
【００１３】
ナビゲーションコントローラ１は、ナビゲーション装置の全体動作を制御するものである。このナビゲーションコントローラ１は、ＣＰＵ、ＲＯＭ、ＲＡＭ等を用いて所定の動作プログラムを実行することによりその機能が実現される。ナビゲーションコントローラ１の詳細構成については後述する。
【００１４】
ＤＶＤ２は、地図表示、施設検索、経路探索および高速道路案内画像表示などに必要な地図データが格納されている情報記録媒体である。このＤＶＤ２には、経度および緯度で適当な大きさに区切られた矩形形状の図葉を単位とした地図データが格納されている。各図葉の地図データは、図葉番号を指定することにより特定され、読み出すことが可能となる。また、この地図データには、各図葉に対応する道路についての規制（道路規制）の有無と道路規制が存在する場合にはその詳細内容を示す道路規制情報が含まれている。
【００１５】
ディスク読取装置３は、１枚あるいは複数枚のＤＶＤ２が装填可能であり、ナビゲーションコントローラ１の制御によっていずれかのＤＶＤ２から地図データの読み出しを行う。なお、装填されるディスクは必ずしもＤＶＤでなくてもよく、ＣＤでもよい。また、ＤＶＤとＣＤの双方を選択的に装填可能としてもよい。あるいは、ＤＶＤやＣＤ等の交換可能なディスク型記録媒体の代わりにハードディスク装置等の大容量記憶装置を用いるようにしてもよい。
【００１６】
リモコンユニット４は、上下左右等の方向を指定するジョイスティックと、数字を入力するテンキーや各種の設定などを確定する「決定キー」などの各種の操作キーとを備えており、操作内容に応じた信号をナビゲーションコントローラ１に出力する。
【００１７】
車両位置検出部５は、例えば、ＧＰＳ受信機、方位センサ、距離センサなどを備えており、所定のタイミングで車両位置（経度、緯度）の検出を行い、検出結果を出力する。
【００１８】
ディスプレイ装置６は、ナビゲーションコントローラ１から出力される描画データに基づいて、自車位置周辺の地図画像や、周辺施設の検索結果などの各種画像を表示する。
【００１９】
ビーコン送受信機７は、主に高速道路上に設置された電波ビーコンとの間で電波を介して双方向通信を行うとともに、主に一般道路上に設置された光ビーコン送受信機との間で双方向通信を行うことにより、道路交通情報センタから送られてくる交通情報を受信する。ＦＭ多重放送受信機８は、一般のＦＭ放送に重畳された多重化データに含まれる交通情報を受信する。ビーコン送受信機７とＦＭ多重放送受信機８によって受信される交通情報には、道路上の特定区間がどの程度渋滞しているかを示す渋滞情報、特定区間の通行に要する時間を示す旅行時間、事故や道路の凍結等を示す事象情報、通行止めや対面通行等の道路規制情報などが含まれている。
【００２０】
タッチパネル９は、リモコンユニット４と同様に利用者が各種の指示を入力するためのものである。このタッチパネル９は、ディスプレイ装置６の表示画面の前面に取り付けられており、利用者がディスプレイ装置６の画面上のどの位置を指し示したかを検出し、検出位置を示す検出位置信号をナビゲーションコントローラ１に出力する。
【００２１】
振動発生部９０は、ナビゲーションコントローラ１からの指示に基づいて、ディスプレイ装置６およびタッチパネル９の全体を振動させる。振動発生部９０は、例えばディスプレイ装置６の筐体の一部に取り付けられており、ディスプレイ装置６を振動させることによりこのディスプレイ装置６に取り付けられたタッチパネル９にも振動が伝わる。利用者がタッチパネル９の一部を指し示しているときにディスプレイ装置６を振動させることで、利用者の指に振動が伝わるようになっている。振動を発生させるタイミングについては後述する。
【００２２】
次に、ナビゲーションコントローラ１の詳細構成について説明する。図１に示すナビゲーションコントローラ１は、地図バッファ１０、地図読出制御部１２、地図描画部１４、車両位置計算部２０、経路探索処理部２２、経路誘導処理部２４、入力処理部３０、ＶＩＣＳ情報格納部３２、ＶＩＣＳ情報描画部３４、区間抽出部４０、道路規制判定部４２、音声案内部４４、表示処理部５０を含んで構成されている。
【００２３】
地図バッファ１０は、ディスク読取装置３によってＤＶＤ２から読み出された地図データを一時的に格納する。地図読出制御部１２は、車両位置計算部２０により算出される車両位置や入力処理部３０からの指示に応じて、所定範囲の地図データの読み出し要求をディスク読取装置３に出力する。地図描画部１４は、地図バッファ１０に格納された地図データに基づいて、地図画像を表示するために必要な描画処理を行って地図画像描画データを作成する。
【００２４】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２５】
経路探索処理部２２は、出発地と目的地（あるいは経由地）との間を所定の探索条件にしたがって結ぶ走行経路（誘導経路）を探索する。経路誘導処理部２４は、経路探索処理部２２による探索処理によって得られた誘導経路を地図上に重ねて表示するための誘導経路描画データを生成する。
【００２６】
入力処理部３０は、リモコンユニット４から入力される各種操作指示に対応する動作を行うための命令をナビゲーションコントローラ１内の各部に向けて出力する。また、入力処理部３０は、タッチパネル９から出力される検出位置信号を受け取り、ナビゲーションコントローラ１内の各部に向けて出力する。
【００２７】
ＶＩＣＳ情報格納部３２は、道路交通情報センタ（ＶＩＣＳセンタ）から送信され、ビーコン送受信機７やＦＭ多重放送受信機８によって受信されたＶＩＣＳ情報を格納する。ＶＩＣＳ情報描画部３４は、ＶＩＣＳ情報格納部３２に格納されたＶＩＣＳ情報の中から、地図画像の描画範囲に含まれるものを選び出し、それぞれの情報に対応した所定のシンボルを表示するための描画データを生成する。
【００２８】
区間抽出部４０は、利用者がタッチパネル９を用いて、ディスプレイ装置６に表示中の地図画像に含まれる道路が利用者によって指し示されたときに、この道路の指し示された区間を抽出する。道路規制判定部４２は、区間抽出部４０によって抽出された道路の所定区間に対応した道路規制の有無を判定する。ここで、判定の対象となる道路規制としては、車両の進入が制限されるもののみが含まれる。例えば、一方通行、進入禁止、通行止め、右左折禁止等の車両の進入が禁止される道路規制が判定対象となる。この判定結果は、音声案内部４４と振動発生部９０に送られる。振動発生部９０は、利用者がタッチパネル９を用いて指し示した道路に対応して車両の進入を制限する道路規制が存在する場合には、一定時間ディスプレイ装置６を振動させる。
【００２９】
音声案内部４４は、利用者がタッチパネル９を用いて指し示した道路に対応して車両の進入を制限する道路規制が存在する場合には、道路規制が存在する旨とその具体的内容を示す案内音声を生成してスピーカ９２から出力する。
【００３０】
表示処理部５０は、地図描画部１４によって生成される地図画像描画データが入力されており、この描画データに基づいて所定範囲の地図画像をディスプレイ装置６の画面に表示する。また、経路誘導処理部２４、ＶＩＣＳ情報描画部３４によって生成される描画データが入力されると、表示処理部５０は、これらの描画データを地図画像に重ねてディスプレイ装置６の画面に表示する。
【００３１】
上述した地図描画部１４が地図描画手段に、表示処理部５０、ディスプレイ装置６が表示手段に、区間抽出部４０が区間抽出手段に、道路規制判定部４２が道路規制判定手段に、音声案内部４４、振動発生部９０が通知手段にそれぞれ対応する。また、振動発生部９０が振動発生手段に、音声案内部４４が音声案内手段に、タッチパネル９が位置検出手段にそれぞれ対応する。
【００３２】
本実施形態のナビゲーション装置はこのような構成を有しており、次に、表示された地図画像中の指し示された道路に対応する道路規制の有無を判定する動作について説明する。
【００３３】
図２は、表示中の地図画像に含まれる道路に対応する道路規制の有無を判定する動作の動作手順を示す流れ図である。ナビゲーション装置が動作を開始すると、まず、区間抽出部４０は、地図表示が行われているか否かを判定し（ステップ１００）、地図画像以外の画像が表示中の場合には否定判断を行ってこの判定を繰り返す。また、地図画像が表示中の場合にはステップ１００の判定において肯定判断が行われ、次に、区間抽出部４０は、地図画像が表示中の画面上の道路が利用者の指等によって直接指し示されたか否かを判定する（ステップ１０１）。指し示されていない場合には否定判断が行われ、ステップ１００に戻って地図表示の有無判定以降の動作が繰り返される。また、画面上の道路が利用者によって指し示された場合にはステップ１０１の判定において肯定判断が行われ、次に、区間抽出部４０は、指し示された道路の区間を抽出する（ステップ１０２）。
【００３４】
道路の区間が抽出されると、道路規制判定部４２は、この区間に対応する道路規制が存在するか否かを判定する（ステップ１０３）。道路規制なしの場合には否定判断が行われ、ステップ１００に戻って地図表示の有無判定以降の動作が繰り返される。また、道路規制ありの場合にはステップ１０３の判定において肯定判断が行われ、この判定結果と道路規制の種類を示す情報が振動発生部９０と音声案内部４４に送られる。
【００３５】
振動発生部９０は、道路規制ありとする判定結果が入力されると、ディスプレイ装置６を一定時間振動させる（ステップ１０４）。また、この動作と並行して、音声案内部４４は、道路規制の種類に応じた案内音声を生成してスピーカ９２から出力する（ステップ１０５）。その後、ステップ１００に戻って地図表示の有無判定以降の動作が繰り返される。
【００３６】
図３〜図７は、道路の特定区間を抽出してから振動あるいは音声出力による通知を行うまでの具体例を示す図である。図３に示す例では、自車位置周辺の地図画像が表示中であって、同時に経路探索によって得られた誘導経路２００が強調表示されている。このような地図画像中に含まれる分岐道路２０２の一区間２０４を、利用者が指で走行道路から遠ざかる向きに沿って直接指し示すものとする。図４では、利用者が指し示した位置２０８が分岐地点２０６から分岐道路２０２に沿って次第に遠ざかっている様子が示されている。このように利用者が分岐道路２０２の一区間２０４を指し示しているときに、この一区間２０４に対応して道路規制（例えば、一方通行路であって分岐地点２０６から進入するとこの一方通行路を逆走してしまう場合）が存在するときには、ディスプレイ装置６が振動するため、利用者はこの振動によって現在指し示している分岐道路２０２の一区間２０４には自車両を進入させることができないことを知ることができる。また、この振動動作と並行して、図５に示すように、「一方通行で曲がれません。」という案内音声が出力される。
【００３７】
なお、図４および図５に示す例では、分岐道路２０２の一区間２０４を利用者が指し示している間、振動や案内音声による通知を行うようにしたが、図６および図７に示すように、分岐道路２０２の一区間２０４を利用者が指し示す動作が終了してこの一区間２０４の全長が明らかになった後に、この全区間に対応して道路規制の有無を判定して振動や案内音声による通知を行うようにしてもよい。
【００３８】
このように、表示中の地図に含まれる道路を指し示したときにその道路に関する規制が存在するときにその旨が通知されるため、表示範囲に含まれる各道路に対する規制の有無を容易かつ確実に知ることができる。特に、ディスプレイ装置６の画面上の指し示された位置を検出するタッチパネル９を用いることにより、表示画面上を指等で直接指し示すことで道路の特定区間を指定してその道路規制の有無を知ることができるため、カーソルキーやジョイスティックレバー等を操作する場合に比べて道路の指定が容易となる。
【００３９】
また、ディスプレイ装置６を振動させることにより通知を行うことにより、画面上で指し示した道路に規制が存在する場合に指等に直接振動が伝わるため、道路規制があることを迅速かつ確実に知ることができる。あるいは、音声で通知を行うことにより、画面上で指し示した道路に規制が存在する場合にその旨が音声案内されるため、道路規制があることを迅速かつ確実に知ることができる。
【００４０】
また、通知を行う対象を車両の進入が制限される道路規制とすることにより、車両が進入できない道路をその道路への分岐等に到達する前に知ることができ、進入できない道路に誤って進入してしまうことや、この道路に進入できないことを進入の直前で知ってあわてることを回避することができる。特に、指し示された方向に沿って車両の進入が制限される道路規制を通知の対象とすることにより、道路の特定区間について進入方向を考慮した道路規制の有無、例えば、一方通行路や右左折禁止道路等における進入の制限についても正確に知ることができる。
【００４１】
なお、本発明は上記実施形態に限定されるものではなく、本発明の要旨の範囲内において種々の変形実施が可能である。例えば、上述した実施形態では、図３に示したように誘導経路２００が含まれる地図画像上の分岐道路２０２の一区間２０４を指し示した場合の具体例について説明したが、誘導経路２００が含まれない自車位置周辺の地図画像を表示中に分岐道路２０２の一区間２０４を指し示した場合にも本発明を適用することができる。また、図８に示すように、自車の走行道路２１０から離れた位置に存在する道路２１２の一区間２１４を指し示した場合に、指し示した方向に沿って車両が走行した場合にその走行が制限される道路規制が存在するか否かを判断して振動や案内音声による通知を行うようにしてもよい。あるいは、自車位置周辺の地図画像表示だけでなく、リモコンユニット４やタッチパネル９を用いて自車位置から遠い場所の地図画像を表示させて、この地図画像に含まれる道路の一区間について同様の通知を行うようにしてもよい。
【００４２】
また、上述した実施形態では、指し示された向きに沿って車両が走行することを想定し、その際に車両の進入が制限されるか否かに着目して道路規制の有無を判定したが、単なる走行において注意を喚起するような道路規制も通知の対象に含めるようにしてもよい。例えば、ＶＩＣＳ情報に基づいて路面の凍結に関する情報が取得可能であれば、「道路規制」の意味を広く解釈し、車両の走行に関連する何らかの規制情報が存在する場合に振動や案内音声による通知を行うようにしてもよい。また、どの種類の道路規制を通知の対象に含めるかは、予め設定画面を用いて利用者自身が選択できることが望ましい。
【００４３】
また、上述した実施形態では、１本の道路を直進する場合について説明したが、図９に示すように、２本の道路２２０、２２２に沿った一区間２２４が指し示された場合にも本発明を適用することができる。
【００４４】
また、ある区間に沿って一方向に指し示した後に、この区間に沿って反対方向に折り返して指し示した場合には、道路規制の種類としてＵターン禁止の有無を含めるようにしてもよい。これにより、通常の地図表示では表しにくいＵターンの可否についても容易に知ることが可能になる。
【００４５】
また、上述した実施形態では、指し示された道路の区間に道路規制が存在するときに、振動発生部９０によってディスプレイ装置６およびタッチパネル９の全体を振動させたが、ディスプレイ装置６あるいはタッチパネル９の一部（指し示された位置周辺）のみを振動させるようにしてもよい。このような一部の振動は、例えば特開２００３−１２２５０７号に開示されたタッチパネル入力装置等を用いることで実現することができる。
【図面の簡単な説明】
【００４６】
【図１】一実施形態のナビゲーション装置の構成を示す図である。
【図２】表示中の地図画像に含まれる道路に対応する道路規制の有無を判定する動作の動作手順を示す流れ図である。
【図３】道路の特定区間を抽出してから振動あるいは音声出力による通知を行うまでの具体例を示す図である。
【図４】道路の特定区間を抽出してから振動あるいは音声出力による通知を行うまでの具体例を示す図である。
【図５】道路の特定区間を抽出してから振動あるいは音声出力による通知を行うまでの具体例を示す図である。
【図６】道路の特定区間を抽出してから振動あるいは音声出力による通知を行うまでの具体例を示す図である。
【図７】道路の特定区間を抽出してから振動あるいは音声出力による通知を行うまでの具体例を示す図である。
【図８】地図画像上で指し示される道路の他の例を示す図である。
【図９】地図画像上で指し示される道路の他の例を示す図である。
【符号の説明】
【００４７】
１  ナビゲーションコントローラ
２  ＤＶＤ
３  ディスク読取装置
４  リモートコントロール（リモコン）ユニット
５  車両位置検出部
６  ディスプレイ装置
７  ビーコン送受信機
８  ＦＭ多重放送受信機
９  タッチパネル
１０  地図バッファ
１２  地図読出制御部
１４  地図描画部
２０  車両位置計算部
２２  経路探索処理部
２４  経路誘導処理部
３０  入力処理部
３２  ＶＩＣＳ情報格納部
３４  ＶＩＣＳ情報描画部
４０  区間抽出部
４２  道路規制判定部
４４  音声案内部
５０  表示処理部
９０  振動発生部
９２  スピーカ
【図１】
2005201697.tif 000003
【図２】
2005201697.tif 000004
【図３】
2005201697.tif 000005
【図４】
2005201697.tif 000006
【図５】
2005201697.tif 000007
【図６】
2005201697.tif 000008
【図７】
2005201697.tif 000009
【図８】
2005201697.tif 000010
【図９】
2005201697.tif 000011